(57)【要約】【課題】顧客が望む表示色を確認するという用途に適した表示装置およびこれを用いたプレゼンテーション方法、表示装置仕様決定方法を提供すること。【解決手段】  赤色光ＬＥＤ素子、緑色光ＬＥＤ素子、および青色光ＬＥＤ素子を含む光源２と、光源２からの光を用いて任意の像を表示させる導光板３と、上記赤色光ＬＥＤ素子の輝度を調節する赤色光調節手段４Ｒ、上記緑色光ＬＥＤ素子の輝度を調節する緑色光調節手段４Ｇ、および上記青色光ＬＥＤ素子の輝度を調節する青色光調節手段４Ｂと、を備えており、赤色光調節手段４Ｒ、緑色光調節手段４Ｇ、および青色光調節手段４Ｂを操作することにより、導光板３に表示される像の表示色を目視によって確認可能に構成されている。【選択図】  図１
2008164735.tif 000002
【特許請求の範囲】
【請求項１】
赤色光ＬＥＤ素子、緑色光ＬＥＤ素子、および青色光ＬＥＤ素子を含む発光手段と、
上記発光手段からの光を用いて任意の像を表示させる表示手段と、
上記赤色光ＬＥＤ素子の輝度を調節する赤色光調節手段、上記緑色光ＬＥＤ素子の輝度を調節する緑色光調節手段、および上記青色光ＬＥＤ素子の輝度を調節する青色光調節手段と、を備えており、
上記赤色光調節手段、上記緑色光調節手段、および上記青色光調節手段を操作することにより、上記表示手段に表示される像の表示色を目視によって確認可能に構成されていることを特徴とする、表示装置。
【請求項２】
上記赤色光調節手段による上記赤色光ＬＥＤ素子の輝度調節可能範囲は、上記青色光調節手段によって調節された上記青色光ＬＥＤ素子の輝度に基づいて、このときの上記青色光ＬＥＤ素子からの光と上記赤色光ＬＥＤ素子からの光とを混色させることにより得られる上記表示色が上記青色光ＬＥＤからの光を赤色蛍光体を透過させた場合に発色可能である色となるように設定されており、
上記緑色光調節手段による上記緑色光ＬＥＤ素子の輝度調節可能範囲は、上記青色光調節手段によって調節された上記青色光ＬＥＤ素子の輝度に基づいて、このときの上記青色光ＬＥＤ素子からの光と上記緑色光ＬＥＤ素子からの光とを混色させることにより得られる上記表示色が上記青色光ＬＥＤ素子からの光を緑色蛍光体を透過させた場合に発色可能である色となるように設定されている、請求項１に記載の表示装置。
【請求項３】
上記赤色光調整手段、上記緑色光調整手段、および上記青色光調整手段によって調整された上記赤色光ＬＥＤ素子、上記緑色光ＬＥＤ素子、および上記青色光ＬＥＤ素子の輝度を任意に記憶可能とされた輝度記憶手段をさらに備えている、請求項１または２に記載の表示装置。
【請求項４】
請求項１ないし３のいずれかに記載の表示装置を用いたプレゼンテーション方法であって、
上記赤色光調節手段、上記緑色光調節手段、および上記青色光調節手段を用いて上記表示手段に表示される像の上記表示色を調節する表示色調節ステップと、
上記表示色に基づいて、製品としての表示装置に表示される像の表示色を決定する表示色決定ステップと、を有することを特徴とする、プレゼンテーション方法。
【請求項５】
請求項２に記載の表示装置を用いた表示装置仕様決定方法であって、
上記赤色光調節手段、上記緑色光調節手段、および上記青色光調節手段を用いて上記表示手段に表示される像の上記表示色を調節する表示色調節ステップと、
上記表示色に基づいて、製品としての表示装置に表示される像の表示色を決定する表示色決定ステップと、
上記賞辞職決定ステップによって決定された上記表示色を再現可能である青色光ＬＥＤ素子と赤色蛍光体および緑色蛍光体の少なくともいずれか一方との組み合わせを決定する仕様決定ステップと、を有することを特徴とする、表示装置仕様決定方法。
【発明の詳細な説明】
【技術分野】
【０００１】
本発明は、主に表示色の確認に用いられる表示装置およびこれを用いたプレゼンテーション方法、表示装置仕様決定方法に関する。
【背景技術】
【０００２】
企業のロゴを発光状態で表示する手段として、ＬＥＤデバイスを光源とした表示装置が用いられている（たとえば、特許文献１）。図７および図８は、このような表示装置に用いられるＬＥＤデバイスと導光板とを示している。ＬＥＤデバイス９２Ｒ，９２Ｇ，９２Ｂは、上記表示装置の光源であり、赤色光、緑色光、および青色光を発光可能なＬＥＤ素子が搭載されている。この従来例においては、導光板９１の両側にＬＥＤデバイス９２Ｒ，９２Ｇ，９２Ｂが一組ずつ配置されている。導光板９１は、たとえば透明なエポキシ樹脂からなり、矩形状とされている。導光板９１には、入射面９１ａ、反射面９１ｂ、および出射面９１ｄが形成されている。入射面９１ａは、ＬＥＤデバイス９２Ｒ，９２Ｇ，９２Ｂからの光を入射させるための面である。反射面９１ｂには、複数の反射領域９１ｃが形成されている。反射領域９１ｃは、たとえば図８においてＬＥＤデバイス９２Ｒ，９２Ｇ、９２Ｂから出射された光Ｌｇ，Ｌｒ，Ｌｂを反射する領域であり、光を散乱させることが可能な粗面とされている。出射面９１ｄは、反射領域９１ｃによって反射された光Ｌｇ，Ｌｒ，Ｌｂを出射させるための面である。この例においては、複数の反射領域９１ｃが数字の「１２３４」を表す形状とされている。
【０００３】
ＬＥＤデバイス９２Ｒ，９２Ｇ，９２Ｂを点灯させると、出射面９１ｄに「１２３４」の像を発光状態で表示することができる。この像の表示色は、ＬＥＤデバイス９２Ｒ，９２Ｇ，９２Ｂの輝度を適宜設定しておくことによって、表示する画像に適した色とされる。また、近年においては、青色光を発光可能なＬＥＤ素子と、このＬＥＤ素子からの青色光によって励起されることにより青色以外の光を発光可能な蛍光体材料とを組み合わせた光源が用いられる場合がある（たとえば、特許文献２参照）。このような光源によれば、表示色を比較的鮮明とするのに有利である。
【０００４】
しかしながら、顧客である企業のロゴを表す表示装置を、表示装置メーカーが設計、製作、および納入する場合、特にロゴの表示色の設定が問題となる場合がある。すなわち、ロゴの形状は図面などによって顧客からメーカーに明確に伝達することができる。一方、表示色については、実際に目視によって確認してはじめてその顧客の企業イメージなどに適した色であるかが判断される。このため、表示装置メーカーとしては、たとえば互いに表示色を微妙に異ならせた複数の表示装置を試作し、これらの表示色から顧客が好む色を選んでもらうという順序を経ていた。また、これらの試作した表示装置の表示色に適切な色が存在しない場合は、試作をやり直した上で、再度顧客に表示色を確認してもらうことが強いられていた。
【０００５】
【特許文献１】特開２００５−３７３４号公報
【特許文献２】特開２００６−３２７２６号公報
【発明の開示】
【発明が解決しようとする課題】
【０００６】
本発明は、上記した事情のもとで考え出されたものであって、顧客が望む表示色を確認するという用途に適した表示装置およびこれを用いたプレゼンテーション方法、表示装置仕様決定方法を提供することをその課題とする。
【課題を解決するための手段】
【０００７】
本発明の第１の側面によって提供される表示装置は、赤色光ＬＥＤ素子、緑色光ＬＥＤ素子、および青色光ＬＥＤ素子を含む発光手段と、上記発光手段からの光を用いて任意の像を表示させる表示手段と、上記赤色光ＬＥＤ素子の輝度を調節する赤色光調節手段、上記緑色光ＬＥＤ素子の輝度を調節する緑色光調節手段、および上記青色光ＬＥＤ素子の輝度を調節する青色光調節手段と、を備えており、上記赤色光調節手段、上記緑色光調節手段、および上記青色光調節手段を操作することにより、上記表示手段に表示される像の表示色を目視によって確認可能に構成されていることを特徴としている。
【０００８】
このような構成によれば、上記赤色光調節手段、上記緑色光調節手段、および上記青色光調節手段を調節することにより、顧客と表示装置メーカーとが同席した場において、顧客が望む表示色を具体的に決定することが可能である。この決定された表示色が表示可能となるように製品としての表示装置を設計および製造すれば、顧客が望む表示色と製品の表示色とが微妙に異なってしまうことが無い。また、表示色を決定するプロセスを短縮することが可能である。
【０００９】
本発明の好ましい実施の形態においては、上記赤色光調節手段による上記赤色光ＬＥＤ素子の輝度調節可能範囲は、上記青色光調節手段によって調節された上記青色光ＬＥＤ素子の輝度に基づいて、このときの上記青色光ＬＥＤ素子からの光と上記赤色光ＬＥＤ素子からの光とを混色させることにより得られる上記表示色が上記青色光ＬＥＤ素子からの光を赤色蛍光体を透過させた場合に発色可能である色となるように設定されており、上記緑色光調節手段による上記緑色光ＬＥＤ素子の輝度調節可能範囲は、上記青色光調節手段によって調節された上記青色光ＬＥＤ素子の輝度に基づいて、このときの上記青色光ＬＥＤ素子からの光と上記緑色光ＬＥＤ素子からの光とを混色させることにより得られる上記表示色が上記青色光ＬＥＤ素子からの光を緑色蛍光体を透過させた場合に発色可能である色となるように設定されている。このような構成によれば、上記表示装置を用いて決定された表示色であれば、上記青色光ＬＥＤ素子と上記赤色蛍光体および上記緑色蛍光体とを用いて忠実に再現することが可能である。
【００１０】
本発明の好ましい実施の形態においては、上記赤色光調整手段、上記緑色光調整手段、および上記青色光調整手段によって調整された上記赤色光ＬＥＤ素子、上記緑色光ＬＥＤ素子、および上記青色光ＬＥＤ素子の輝度を任意に記憶可能とされた輝度記憶手段をさらに備えている。このような構成によれば、たとえば顧客と表示装置メーカーとが同席した場において上記表示装置を用いて決定された表示色を構成するための上記赤色光ＬＥＤ素子、上記緑色光ＬＥＤ素子、および上記青色光ＬＥＤ素子の輝度を、上記表示装置メーカーのその他の担当者に確実に伝達することができる。
【００１１】
本発明の第２の側面によって提供されるプレゼンテーション方法は、本発明の第１の側面によって提供される表示装置を用いたプレゼンテーション方法であって、上記赤色光調節手段、上記緑色光調節手段、および上記青色光調節手段を用いて上記表示手段に表示される像の上記表示色を調節する表示色調節ステップと、上記表示色に基づいて、製品としての表示装置に表示される像の表示色を決定する表示色決定ステップと、を有することを特徴としている。
【００１２】
このような構成によれば、上記表示装置の表示色を様々に変更させながら、顧客が望む表示色を確実に決定することが可能である。したがって、たとえば表示装置メーカーが、あらかじめ複数の表示装置を試作したり、試作した表示装置に対して顧客が繰り返し確認したりするといった手間を省略することができる。
【００１３】
本発明の第３の側面によって提供される表示装置仕様決定方法は、本発明の第１の側面によって提供される表示装置を用いた表示装置仕様決定方法であって、上記赤色光調節手段、上記緑色光調節手段、および上記青色光調節手段を用いて上記表示手段に表示される像の上記表示色を調節する表示色調節ステップと、上記表示色に基づいて、製品としての表示装置に表示される像の表示色を決定する表示色決定ステップと、上記表示色決定ステップによって決定された上記表示色を再現可能である青色光ＬＥＤ素子と赤色蛍光体および緑色蛍光体の少なくともいずれか一方との組み合わせを決定する仕様決定ステップと、を有することを特徴としている。
【００１４】
このような構成によれば、上記表示色決定ステップにおいて決定した表示色を、製品としての表示装置によって忠実に再現することができる。青色光ＬＥＤ素子と赤色蛍光体および緑色蛍光体を用いれば、比較的鮮明な表示色を再現するのに有利である。
【００１５】
本発明のその他の特徴および利点は、添付図面を参照して以下に行う詳細な説明によって、より明らかとなろう。
【発明を実施するための最良の形態】
【００１６】
以下、本発明の好ましい実施の形態につき、図面を参照して具体的に説明する。
【００１７】
図１および図３は、本発明に係る表示装置の一例を示している。本実施形態の表示装置Ａは、たとえば顧客である企業のロゴを表示するための表示装置について、その表示色を確認し決定するために用いられるものである。表示装置Ａは、ケース１、光源２、導光板３、赤色光調節手段４Ｒ、緑色光調節手段４Ｇ、青色光調節手段４Ｂ、および制御部５を備えている。なお、図３においては、理解の便宜上ケース１を省略している。
【００１８】
ケース１は、たとえば樹脂からなる略直方体形状である。ケース１は、光源２、導光板３、赤色光調節手段４Ｒ、緑色光調節手段４Ｇ、青色光調節手段４Ｂ、および制御部５を収容している。ケース１には、導光板３の一部を露出させることにより表示領域を形成する２つの開口１ａが形成されている。
【００１９】
光源２は、表示装置Ａによって所望の像を発光状態で表示させるための発光手段であり、赤色光ＬＥＤデバイス２Ｒ、緑色光ＬＥＤデバイス２Ｇ、および青色光ＬＥＤデバイス２Ｂを備えている。赤色光ＬＥＤデバイス２Ｒは、赤色光を発光可能なＬＥＤ素子（図示略）を、緑色光ＬＥＤデバイス２Ｇは、緑色光を発光可能なＬＥＤ素子（図示略）を、青色光ＬＥＤデバイス２Ｂは、青色光を発光可能なＬＥＤ素子（図示略）を、それぞれ備えている。
【００２０】
導光板３は、表示装置Ａに表示させるべき像を表示させる表示手段である。導光板３は、たとえば透明なエポキシ樹脂からなる矩形状板であり、図２に示すように入射面３ａ、反射面３ｂ、および出射面３ｄを有している。入射面３ａは、光源２からの光を入射させる面であり、導光板２の両側に設けられている。反射面３ｂは、入射面３ａから入射した光を出射面３ｄに向けて反射する面である。反射面３ｂには、複数の反射領域３ｃが形成されている。反射領域３ｃは、反射面３ｂの一部に対して、微細な溝、ドット、あるいはエッチングによる粗面が形成された領域であり、光を散乱させる機能を有する。本実施形態においては、２つの導光板３が備えられており、一方の導光板３の反射領域３ｃは、アルファベットの「ＡＢＣＤＥ」を表す形状とされており、他方の導光板３の反射領域３ｃは、アルファベットの「ＶＷＸＹＺ」を表す形状とされている。出射面３ｄは、反射面３ｂによって反射された光を透過させることにより、反射領域３ｃの形状によって規定された所望の像を表示するための面である。
【００２１】
赤色光調節手段４Ｒ、緑色光調節手段４Ｇ、および青色光調節手段４Ｂは、赤色光ＬＥＤデバイス２Ｒ、緑色光ＬＥＤデバイス２Ｇ、および青色光ＬＥＤデバイス２Ｂの輝度を調節するためのものであり、表示装置Ａの使用者が回転させることにより輝度を加減するためのボリュームつまみを具備している。赤色光調節手段４Ｒ、緑色光調節手段４Ｇ、青色光調節手段４Ｂによって調節された赤色光ＬＥＤデバイス２Ｒ、緑色光ＬＥＤデバイス２Ｇ、および青色光ＬＥＤデバイス２Ｂの輝度は、輝度表示部４１Ｒ，４１Ｇ，４１Ｂにそれぞれ表示される。
【００２２】
制御部５は、たとえば複数の集積回路素子からなり、赤色光調節手段４Ｒ、緑色光調節手段４Ｇ、および青色光調節手段４Ｂからの入力に基づいて、赤色光ＬＥＤデバイス２Ｒ、緑色光ＬＥＤデバイス２Ｇ、および青色光ＬＥＤデバイス２Ｂに対して電力供給を行う。制御部５には、青色光調節手段４Ｂによって調節された青色光ＬＥＤデバイス２Ｂの輝度を基準として、赤色光ＬＥＤデバイス２Ｒおよび緑色光ＬＥＤデバイス２Ｇそれぞれの輝度の調整可能範囲が記憶されている。赤色光調節手段４Ｒおよび緑色光調節手段４Ｇからの入力が上記調整可能範囲を超えるときには、制御部５は、この調整可能範囲内の輝度となるように赤色光ＬＥＤデバイス２Ｒおよび緑色光ＬＥＤデバイス２Ｇに対する電力供給を行う。また、制御部５は、赤色光ＬＥＤデバイス２Ｒ、緑色光ＬＥＤデバイス２Ｇ、および青色光ＬＥＤデバイス２Ｂの実際の輝度を表示させる指令を、輝度表示部４１Ｒ，４１Ｇ，４１Ｂに対して送信する。さらに、制御部５は、決定キー４２が押下されたときに輝度表示部４１Ｒ，４１Ｇ，４１Ｂに表示されている赤色光ＬＥＤデバイス２Ｒ、緑色光ＬＥＤデバイス２Ｇ、および青色光ＬＥＤデバイス２Ｂの実際の輝度を記憶する輝度記憶手段としての機能を有する。
【００２３】
次に、表示装置Ａを用いたプレゼンテーション方法および表示装置仕様決定方法について以下に説明する。
【００２４】
表示装置Ａを用いたプレゼンテーション方法は、図４に示すように表示色調節ステップと表示色決定ステップとを含んでいる。また、表示装置Ａを用いた表示装置仕様決定方法は、このプレゼンテーション方法に加えて、このプレゼンテーション方法の結果に基づいて製造すべき表示装置の仕様を決定する仕様決定ステップをさらに有している。
【００２５】
表示色調節ステップにおいては、赤色光調節手段４Ｒ、緑色光調節手段４Ｇ、および青色光調節手段４Ｂを調節することにより、表示装置Ａに表示される像の表示色を種々変更する。上述したとおり、赤色光ＬＥＤデバイス２Ｒおよび緑色光ＬＥＤデバイス２Ｇの実際の輝度は、青色光ＬＥＤデバイス２Ｂの実際の輝度と、赤色光調節手段４Ｒおよび緑色光調節手段４Ｇからの入力と、に基づいて制御部５によって設定される。
【００２６】
制御部５による輝度調節を図５を用いて具体的に説明する。図５は、表示装置Ａによって表示される像の表示色を表すCIE 1964色度図である。青色光ＬＥＤデバイス２Ｂから発せられる光の波長は、たとえば４７０ｎｍ程度であり、緑色光ＬＥＤデバイス３Ｇから発せられる光の波長は、たとえば５４０ｎｍ程度であり、赤色光ＬＥＤデバイス３Ｒから発せられる光の波長は、たとえば６３０ｎｍ程度である。これらの赤色光ＬＥＤデバイス２Ｒ、緑色光ＬＥＤデバイス２Ｇ、および青色光ＬＥＤデバイス２Ｂそれぞれの輝度を任意に設定すれば、色度図において点Ｐｒ，Ｐｇ，Ｐｂを頂点とする三角形によって囲まれた範囲の色を表示装置Ａの表示色とすることができる。
【００２７】
しかし、表示装置Ａを用いて仕様を決定しようとする表示装置の表示色は、さらに狭い範囲に限定される。図６は、表示装置Ａを用いて仕様を決定しようとする表示装置に用いられる光源の一例を示している。この光源６は、ＬＥＤデバイス６ＢＲ，６ＢＧからなる。ＬＥＤデバイス６ＢＲ，６ＢＧは、ケース６１、青色光ＬＥＤ素子６２、透明樹脂６３を共通して備えている。さらに、ＬＥＤデバイス６ＢＲは蛍光樹脂６４Ｒを、ＬＥＤデバイス６ＢＧは、蛍光樹脂６４Ｇを、それぞれ備えている。
【００２８】
青色光ＬＥＤ素子６２からの光は、直接あるいはケース６１の斜面に反射されて、透明樹脂６３中を蛍光樹脂６４Ｒまたは６４Ｇへと進む。蛍光樹脂６４Ｒには、青色光ＬＥＤ素子６２からの光Ｌｂに励起されることにより赤色の光Ｌｒを発光する赤色蛍光体が混入されている。このような赤色蛍光体の例としては、たとえばＲＥｕＷ2Ｏ8（ＲはＬｉ，Ｎａ，Ｋ，Ｒｂ，Ｃｓのうちの少なくとも１種）、Ｍ2Ｓｉ5Ｎ8：Ｅｕ（ＭはＣａ，Ｓｒ，Ｂａのうちの少なくとも１種）、ＣａＳ：Ｅｕ、ＳｒＳ：Ｅｕが挙げられる。一方、蛍光樹脂６４Ｇには、青色光ＬＥＤ素子６２からの光Ｌｂに励起されることにより緑色の光Ｌｇを発光する緑色蛍光体が混入されている。このような緑色蛍光体の例としては、たとえばＢａＭｇＡｌ10Ｏ17：Ｅｕ、ＺｎＳ：Ｃｕ、ＭＧａ2Ｓ4：Ｅｕ（ＭはＣａ，Ｓｒ，Ｂａのうちの少なくとも１種）が挙げられる。
【００２９】
ＬＥＤデバイス６ＢＲからは、光Ｌｒと蛍光樹脂６４Ｒを透過した光Ｌｂとが出射される。ＬＥＤデバイス６ＢＧからは、光Ｌｇと蛍光樹脂６４Ｇを透過した光Ｌｂとが出射される。これらの光Ｌｒ，Ｌｇ，Ｌｂが混色されることにより、表示色を種々の色とすることができる。この場合、光Ｌｒ，Ｌｇを純粋な赤色光または緑色光とすることは現実的には困難である。すなわち、光源６において蛍光樹脂６４Ｒ，６４Ｇの量を加減したとしても、発光可能な光の色の範囲は図４に示す点Ｐｒ’，Ｐｇ’，Ｐｂを頂点とする三角形に囲まれた範囲に限定される。
【００３０】
そこで、表示装置Ａにおいては、制御部５により、そのときの青色光ＬＥＤデバイス２Ｂの輝度に基づいて、赤色光ＬＥＤデバイス２Ｒおよび緑色光ＬＥＤデバイス２Ｇの実際の輝度が制限される。この制限により、表示装置Ａの表示色は、図４における点Ｐｒ’，Ｐｇ’，Ｐｂを頂点とする三角形に囲まれた範囲に限定される。これは、表示装置Ａによって表示される像の表示色であれば、図６に示した構成とされた光源６によって再現可能であることを意味する。
【００３１】
表示色調節ステップにおいては、赤色光調節手段４Ｒ、緑色光調節手段４Ｇ、および青色光調節手段４Ｂを適宜操作することにより、表示装置Ａの表示色を点Ｐｒ’，Ｐｇ’，Ｐｂを頂点とする三角形に囲まれた範囲内で変更する。そして、顧客が満足する表示色が定まれば、表示色決定ステップを実行する。このステップは、表示色が望ましい色（たとえば、色度図において点Ｐ１で表される色）となっている状態で、決定キー４２を押下することにより行われる。決定キー４２が押下されると、そのときの赤色光ＬＥＤデバイス２Ｒ、緑色光ＬＥＤデバイス２Ｇ、および青色光ＬＥＤデバイス２Ｂの輝度が、それぞれ制御部５内の輝度記憶手段に記憶される。以上の手順により、表示装置Ａを用いたプレゼンテーション方法が終了する。
【００３２】
本発明に係る表示装置仕様決定方法は、さらに、仕様決定ステップを行う。このステップにおいては、図６に示す光源６について、表示色決定ステップによって制御部５に記憶された輝度で赤色光ＬＥＤデバイス２Ｒ、緑色光ＬＥＤデバイス２Ｇ、および青色光ＬＥＤデバイス２Ｂを光らせた場合に得られる表示色を再現可能とする構成を決定する。具体的には、青色光ＬＥＤ素子６２の波長と蛍光樹脂６４Ｒ，６４Ｇの材質との組み合わせを選定する。また、青色光ＬＥＤ素子６２に対する蛍光樹脂６４Ｒ，６４Ｇの配置、または蛍光樹脂６４Ｒ，６４Ｇの形状および厚さなどを決定する。このような手順によって仕様が決定された光源６を備える表示装置の表示色は、光Ｌｒ，Ｌｇ，Ｌｂを混色させることにより、図５の色度図において点Ｐ１で表される色として忠実に再現される。
【００３３】
次に、表示装置Ａおよびこれを用いたプレゼンテーション方法、表示装置仕様決定方法の作用について説明する。
【００３４】
本実施形態によれば、赤色光調節手段４Ｒ、緑色光調節手段４Ｇ、および青色光調節手段４Ｂを用いて、顧客が望む表示色を確認し、これを表示装置メーカーに指示することができる。実際に目視可能である表示装置Ａの表示色として指示されることにより、製品としての表示装置の表示色が、顧客が望む色と微妙に異なってしまうことを回避することが可能である。したがって、顧客が望む表示色を表示装置メーカーが製作する表示装置に効率よく反映させることができる。
【００３５】
青色光ＬＥＤ素子６２からの青色光を用いて、蛍光樹脂６４Ｒ，６４Ｇを励起させることにより表示色を構成する手法は、表示色の色合いを鮮明なものとするのに適している。本実施形態によれば、制御部５によって表示色調整ステップにおける調整範囲が、図４の色度図における点Ｐｒ’，Ｐｇ’，Ｐｂを頂点とする三角形で囲まれた領域に制限される。この範囲内で決定された表示色であれば、青色光ＬＥＤ素子６２と蛍光樹脂６４Ｒ，６４Ｇとを用いて、忠実に再現することが可能である。したがって、鮮明な表示色を顧客が望む色合いで製品としての表示装置に反映することができる。
【００３６】
本発明に係るプレゼンテーション方法において決定された赤色光ＬＥＤデバイス２Ｒ、緑色光ＬＥＤデバイス２Ｇ、および青色光ＬＥＤデバイス２Ｂの輝度は、制御部５の上記輝度記憶手段に記憶される。このため、これら輝度を本発明に係る表示装置仕様決定方法の仕様決定ステップに誤差を生じることなく伝達することができる。
【００３７】
本発明に係る表示装置およびこれを用いたプレゼンテーション方法、表示装置仕様決定方法は、上述した実施形態に限定されるものではない。本発明に係る表示装置およびこれを用いたプレゼンテーション方法、表示装置仕様決定方法の具体的な構成は、種々に設計変更自在である。
【００３８】
赤色光ＬＥＤデバイス２Ｒ、緑色光ＬＥＤデバイス２Ｇ、および青色光ＬＥＤデバイス２Ｂから発せられる光の波長は、上述した実施形態に限定されず、それぞれ赤色、緑色、青色と認識される波長であればよい。図４における点Ｐｇ’，Ｐｒ’の位置は、製品としての表示装置に用いる青色光ＬＥＤ素子６２と蛍光樹脂６４Ｒ，６４Ｇとの組み合わせに依存する。制御部５による輝度調整の制限を設けることは、青色光ＬＥＤ素子６２と蛍光樹脂６４Ｒ，６４Ｇとを組み合わせることにより光源６を構成することを前提とする場合に便利であるが、本発明はこれに限定されず、制御部５による制限を備えない構成であってもよい。本発明で言う表示手段は、導光板３に限定されず、光源からの光を利用して像を表示可能なものであればよい。
【図面の簡単な説明】
【００３９】
【図１】本発明に係る表示装置の一例を示す平面図である。
【図２】本発明に係る表示装置の一例に用いられるＬＥＤデバイスおよび導光板を示す斜視図である。
【図３】本発明に係る表示装置の一例を示すシステム構成図である。
【図４】本発明に係る表示装置仕様決定方法の一例を示すフロー図である。
【図５】本発明に係る表示装置の一例による表示色の調節を示す色度図である。
【図６】本発明に係る表示装置仕様決定方法によって使用が決定される表示装置に用いられるＬＥＤデバイスの一例を示す断面図である。
【図７】従来の表示装置に用いられるＬＥＤデバイスおよび導光板の一例を示す平面図である。
【図８】図７のＶＩＩＩ−ＶＩＩＩ線に沿う断面図である。
【符号の説明】
【００４０】
Ａ      表示装置
１      ケース
２      光源（発光手段）
２Ｒ    赤色光ＬＥＤデバイス
２Ｇ    緑色光ＬＥＤデバイス
２Ｂ    青色光ＬＥＤデバイス
３      導光板（表示手段）
３ａ    入射面
３ｂ    反射面
３ｃ    反射領域
３ｄ    出射面
４Ｒ    赤色光調節手段
４Ｇ    緑色光調節手段
４Ｂ    青色光調節手段
５      制御部（輝度記憶手段）
６      光源
６ＢＲ，６ＢＧ  ＬＥＤデバイス
６１    ケース
６２    青色光ＬＥＤ素子
６３    透明樹脂
６４Ｒ，６４Ｇ  蛍光樹脂
【図１】
2008164735.tif 000003
【図３】
2008164735.tif 000004
【図４】
2008164735.tif 000005
【図５】
2008164735.tif 000006
【図６】
2008164735.tif 000007
【図７】
2008164735.tif 000008
【図８】
2008164735.tif 000009
【図２】
2008164735.tif 000010